(57)【要約】      （修正有）【課題】回転しなくても、小さな空間で流れ作業が可能な馬蹄形作業台を提供する。【解決手段】各種部品の組立に使用される作業台１であって馬蹄形の形状をなし、作業者用空間２を有すると共に、高さ調節可能な複数本の脚３及び脚の下端にキャスターを有するものを組立用作業台に使用すること。【選択図】図１
0003106662.tif 000002
【実用新案登録請求の範囲】
【請求項１】
各種部品の組立に使用される作業台（１）であって、馬蹄形の形状をなし、作業者用空間（２）を有すると共に、高さ調節可能な複数本の脚（３）及び脚の下端にキャスターを有することを特徴とする馬蹄形作業台
【請求項２】
請求項１の馬蹄形作業台（１）を２ヶ以上Ｓ字型（４）に配置した作業台
【請求項３】
部品置き台（５）を少なくとも１台、更に付設した請求項１または２の作業台
【請求項４】
上記脚がいずれも任意の高さに調節して高さを調整出来るものである請求項１〜３のいずれかの作業台
【考案の詳細な説明】
【技術分野】
【０００１】
本考案は作業台に関し、更に詳しくは特にミニセル組立に適し、且つ各種異なった作業を流れ作業で処理しうる作業台に関する。
【背景技術】
【０００２】
従来各種の異なった数種の組立作業を行うにはベルトコンベアーを用いて順次流れ作業で行うことは良く知られており、順次にベルトコンベヤー上を移動して来る各種部品をベルトコンベヤー側面に位置する作業者が順次組立て作業を行うものである。
【０００３】
このベルトコンベアー式の流れ作業台では、ベルトコンベヤーは相当の長さを必要とするため、かなり大きな設置場所を必要とし、またベルトコンベヤー上の作業中に、１つの作業が遅れたり、何等かの故障が生じると、その後の組立作業に支障を来たし、たとえば手待ちというムダを生じたり、作業が一時的にストップしたりして、うまく流れ作業が出来なくなってしまう大きな難点がある。
【０００４】
これに対し、ベルトコンベヤーに代えて回転する円形の作業台を使用しようとする試みが特開２００１−１９１２２１号に提案されている。
【０００５】
この作業台は回転式作業台ではあるが、その作業台の表面に別途に数多くの副回転作業台を設けるものであり、また作業台の中心部に設けられた副部品収納部は固定されているために、その部品毎に該収納部の内部を分割しなければならず、しかも主部品に副部品を組立てるという限られた数少ない組立を行うためのものであった。
【０００６】
従って現在簡単な構造でしかも大きな設置場所を必要とせず、手待ちというムダが生じず、１ヶ所で支障が生じても他の作業に悪影響をあたえない作業装置就中回転式作業台が強く要望されている。
【０００７】
この要望に応えるために本考案者はすでに特願２００２−３１３７５１号として、回転作業装置を出願した。この作業台は円形の回転式作業台であり、従来の要望に充分応える優れた作業台である。
【考案の開示】
【考案が解決しようとする課題】
【０００８】
本考案者は、引き続きこの種作業台を開発するために鋭意研究を続けた結果、回転しなくとも、小さな空間で流れ作業が可能な作業台を開発することに成功した。
【課題を解決するための手段】
【０００９】
この課題は
（イ）各種部品を組立てる際に使用される作業台（１）であって
（ロ）馬蹄形の形状を有する作業台であり、
（ハ）作業者用空間（２）を有し、
（ニ）高さ調節可能な複数本の脚（３）を有し、且つその下端にキャスターを有する
ものを作業台として使用することにより解決される。
【００１０】
更にはこの課題は、
（ホ）上記作業台（１）をＳ字型（４）に配置したものであること、
（ヘ）更に上記作業台（１）及びＳ字型配置作業台（４）に、部品置き台（５）を各作業台に少なくとも１台付設したもの
を用いることにより一層好ましく解決される。
【００１１】
以下本考案の望ましい実施の形態について図１〜７を用いて以下に説明する。
図１は本考案の作業台（１）の概略説明図であって、形状は馬蹄形をしており、作業者が作業台を用いて作業するための空間（２）が設けられている。
【００１２】
この作業台（１）は高さを自由に調節出来る脚（３）を複数本（図１では３本）有し、作業台を作業者が作業し易い高さに自由に調整出来るようになっている。そしてこの脚（３）にはその下端にキャスターが設けられ、作業台（１）自体を容易に所定の場所に移動することが出来る。
【００１３】
形状は図１及び図３に示す様に馬蹄形であり、基本的には、半円部分（６）と直線部分（７）とから成っている。半円部分は厳密に半円である必要はなく、少なくとも円弧を有し、且つ円を裁断した形状であれば良い。
【００１４】
大きさは特に限定されないが、たとえば図３に示す如く巾（８）が３５０〜４００、巾（９）が５００〜６００、巾（１０）が３５０〜４００ｍｍ程度である。
【００１５】
また作業台（１）を２つ以上図２の如くＳ字型に配置して使用しても良い。
【００１６】
脚３は自由に高さを調節することが出来、好ましくは２段で調節する。具体的には、図４に示す様に脚（３）の内部にスプリングを挿入し、このスプリングの弾性を利用して、高さを調節する方法や、図５に示す様にネジを用いて所定の高さに止めても良い。
【００１７】
本考案に於いては更に図５に示す如く必要に応じ部品置き台（５）を作業台（１）に付設することも出来る。この部品置き台（５）は図７に示す通り金属製の板状体であって、先端に嵌合部（１１）を有し、嵌合部（１１）を作業台（１）の円形端部に適当本通常３〜５本程度はめ込んで使用する。ハメ込んだ際、板状体の部品置き台（５）が傾斜を有する様にハメ込まれるのが良い。この部品置き台（５）の１本の巾は４０〜６０ｍｍ長さは２５０〜３５０ｍｍ程度であり若干弾力性を有する材質通常金属好ましくは銅から製作される。
【考案の効果】
【００１８】
本考案の作業台は以下の如く優れた効果を発揮する。
（イ）ミニセル組立に特に適している。１人の作業者が作業台（１）の作業者用空間        （２）に位置し、馬蹄形作業台（１）を用いて比較的小さな組立即ちミニセル組立を      1人で簡単に行うことが出来る。
（ロ）流す製品に応じて即座にレイアウトが出来る。即ちキャスター付の作業台であるた      め、作業台（１）を楽にしかも自由に移動出来、しかも１つのブロック毎に独立し      た作業が可能である。
（ハ）組立製品に応じて必要な部品を置くための部品置き台（５）を適宜に適宜な数だけ      付設することが出来、組立作業が極めて有効にスムーズに行える。
（ニ）小さな空間で大量作業が出来る。
【考案を実施するための最良の形態】
【００１９】
本考案を実施例を示して以下に詳しく説明する。 
【実施例１】
【００２０】
図１の作業台を木材で製作した。馬蹄形の半円形の部分の大きさは外径１４００ｍｍ内径６００ｍｍ、直線部分２００ｍｍの馬蹄形板にネジ止めによる高さ調節部を有する脚（３）を３本設け作業台を作製した。
【００２１】
この作業台（１）には部品置き台（５）（指し棒状部品受け）を４本付設した。
【図面の簡単な説明】
【００２２】
【図１】図１は本考案の作業台の一例を示す説明である。
【図２】図２は本考案の作業台の他の一例を示す説明図である
【図３】図３は作業台（１）の寸法の一例を示す説明図である
【図４】図４は本考案の作業台（１）に設けられる脚（３）の説明図である
【図５】図５は脚３の具体的な高さ調整手段を示す説明図である
【図６】図６は本考案の部品置き台（５）を作業台（１）に付設したときの説明図である
【図７】図７は本考案の作業台に必要に応じ付設される部品置き台（５）の説明図である
【符号の説明】
【００２３】
１  ：  作業台
２  ：  作業者用空間
３  ：  脚
４  ：  Ｓ字型作業台
５  ：  部品置き台
６  ：  半円部分
７  ：  直線部分
８  ：  巾
９  ：  巾
１０：  巾
１１：  部品置き台の嵌合部
１２：  脚固定部
１３：  ロックボルト
１４：  ロックナット
１５：  補強材
【図１】
0003106662.tif 000003
【図２】
0003106662.tif 000004
【図３】
0003106662.tif 000005
【図４】
0003106662.tif 000006
【図５】
0003106662.tif 000007
【図６】
0003106662.tif 000008
【図７】
0003106662.tif 000009